(57)【要約】【課題】様々な形状の便器であっても、正確に便器を中心にして左右対称に配置することが可能な足位置指示用シートおよび尿飛散防止セットを提供する。【解決手段】足位置指示用シート１０は、便器に隣接させて床面に配置され、使用者の足位置を示す左右のシート本体１１Ｌ，１１Ｒと、シート本体１１Ｌ，１１Ｒのおもて面に付与され、左右のシート本体１１Ｌ，１１Ｒを、便器を中心に左右対称に配置したときに、一方のシート本体１１Ｌの案内線１２４Ｌ（Ｌ１，Ｌ２，Ｌ３，Ｌ４）を延長すると、他方のシート本体１１Ｒの案内線１２４Ｒに重なる位置案内部１２４と備えている。【選択図】図２
2019025325.tif 000002
【特許請求の範囲】
【請求項１】
便器に隣接させて床面に配置され、使用者の足位置を示す左右のシート本体と、
前記シート本体のおもて面に付与され、前記左右のシート本体を、前記便器を中心に左右対称に配置したときに、一方の前記シート本体の案内線を延長すると、他方の前記シート本体の案内線に重なる位置案内部とを備えた足位置指示用シート。
【請求項２】
前記案内線は、前記左右のシート本体における左右対称の位置から、対を成す前記シート本体へ向かって延びる請求項１記載の足位置指示用シート。
【請求項３】
前記案内線は、つま先から踵に向かう第１方向と、対を成す前記シート本体に向かって前記第１方向と直交する第２方向とによる直角を複数に分割した角度上に位置する請求項１または２記載の足位置指示用シート。
【請求項４】
前記位置案内部の前足部は、中足部側からつま先側に向かって段階的に区分けされている請求項１から３のいずれかの項に記載の足位置指示用シート。
【請求項５】
前記請求項１から４のいずれかの項に記載の足位置指示用シートと、前記便器に貼られる立ち位置案内ステッカーとを備えた尿飛散防止セット。
【請求項６】
前記請求項１から４のいずれかの項に記載の足位置指示用シートと、前記便器の左右方向に合わせて床面に貼られ、前記便器の左右方向に沿った端辺に、前記シート本体の案内線を合わせることで、前記足位置指示用シートの貼り位置を補助する位置合わせシートとを備えた尿飛散防止セット。
【発明の詳細な説明】
【技術分野】
【０００１】
本発明は、便器に隣接させて床面に配置することで、尿が便器から外れたり、便器からの跳ね返りが飛散したりすることが防止できる足位置指示用シートおよび尿飛散防止セットに関するものである。
【背景技術】
【０００２】
放尿の際に使用者が便器から離れた状態にあると、便器から外れて放尿されたり、便器からの跳ね返りが便器から漏れたり、滴下した尿が床面に落ちたりして、床面が汚れることとなり、併せて、尿の跳ね返りにより使用者自身の衣類が汚れることにもなる。
【０００３】
このような汚れの発生を防止するために、使用者に便器に対して適切な位置に立つよう促すものとして、特許文献１，２に記載されたものが知られている。
特許文献１に記載の足型マーク・タイル＆シールは、トイレの最適位置に足型マークタイルの表示で、適正な足位置が分かる様に、又身体障害者にも良く分かる様に設計されたものである。
【０００４】
特許文献２に記載の小便飛散防止構造並びに小便飛散防止マットは、マット本体の上面に、爪先方向に向かうに従って凹部深さが増すように傾斜した足型凹部と、踵方向に向かうに従って凹部深さが増すように傾斜した足型凹部と、から成る略足型形状部を一対に設けた構成や、略足型形状を成す一対のマット本体から成り、一方のマット本体の上面が爪先方向に向かうに従って厚みが増すように傾斜するとともに、他方のマット本体の上面が踵方向に向かうに従って厚みが増すように傾斜するようにして成る構成を採用したものである。
【先行技術文献】
【特許文献】
【０００５】
【特許文献１】特開平８−１１７１５３号公報
【特許文献２】特開２０１２−１３５３３４号公報
【発明の概要】
【発明が解決しようとする課題】
【０００６】
しかし、使用者を適切な位置に立たせるための左右の足型が分離している特許文献１，２に記載のものは、左右の足型で、便器に対して、前後の位置が違ってしまったり、傾斜角度が変わったりして、便器を中心に左右対称に配置することが難しい。
【０００７】
特許文献２に記載の小便飛散防止マットでは、その前部が、床置型の小便器のたれ受けの外形に合わせて半円状に形成されているため、前部をたれ受けに接触した状態で設置すれば、位置決めを簡単に行うことができる。
しかし、特許文献２に記載の小便飛散防止マットでは、小便器の形状が変われば、その形状に合わせて、前部の形状を変更する必要がある。また、壁掛け型小便器では、前部をたれ受けに接触させた状態とすることができないため、位置決めが難しい。
【０００８】
そこで本発明は、様々な形状の便器であっても、正確に便器を中心にして左右対称に配置することが可能な足位置指示用シートおよび尿飛散防止セットを提供することを目的とする。
【課題を解決するための手段】
【０００９】
本発明の足位置指示用シートは、便器に隣接させて床面に配置され、使用者の足位置を示す左右のシート本体と、前記シート本体のおもて面に付与され、前記左右のシート本体を、前記便器を中心に左右対称に配置したときに、一方の前記シート本体の案内線を延長すると、他方の前記シート本体の案内線に重なる位置案内部とを備えたことを特徴とする。
【００１０】
本発明の足位置指示用シートは、左右のシート本体を、便器を中心に左右対称に配置したときに、一方のシート本体の案内線を延長すると、他方のシート本体の案内線に重なるように、位置案内部が形成されている。従って、本発明の足位置指示用シートを一方のシート本体の案内線を延長して、他方の前記シート本体の案内線に重なるように配置することにより、左右のシート本体を、便器を中心に左右対称に配置することができる。
【００１１】
前記案内線は、前記左右のシート本体における左右対称の位置から、対を成す前記シート本体へ向かって延びるものとすることができる。
【００１２】
前記案内線は、つま先から踵に向かう第１方向と、対を成す前記シート本体に向かって前記第１方向と直交する第２方向とによる直角を複数に分割した角度上に位置するものとすることができる。
直角を複数に分割した角度上に位置する案内線が左右のシート本体における左右対称の位置から、対を成す前記シート本体へ向かって延びているため、シート本体を傾斜させる角度に応じた案内線に合わせて本発明の足位置指示用シートを配置することで、便器に対して様々な傾斜角度で設置することができる。
【００１３】
前記位置案内部の前足部を、中足部側からつま先側に向かって段階的に区分けすることができる。様々な年齢の使用者、または様々な足の大きさの使用者が、踵に合わせて立ったときにつま先も段階的に区分けされた前足部に合わせることで、便器に接近した適切な位置に使用者を立たせることができる。
【００１４】
また、本発明の尿飛散防止セットは、本発明の足位置指示用シートと、前記便器に貼られる立ち位置案内ステッカーとを備えたことを特徴とする。
本発明の尿飛散防止セットによれば、便器に貼られる立ち位置案内ステッカーを備えているため、使用者に便器前の立ち位置について注意喚起させることができるため、足元も見ずに便器の前に立つ使用者が足位置指示用シートに気が付かずに便器から離れて放尿することを防止することができる。
【００１５】
更に、本発明の尿飛散防止セットは、本発明の足位置指示用シートと、前記便器の左右方向に合わせて床面に貼られ、前記便器の左右方向に沿った端辺に、前記シート本体の案内線を合わせることで、前記足位置指示用シートの貼り位置を補助する位置合わせシートとを備えたことを特徴とする。
位置合わせシートの左右方向に沿った端辺に、シート本体の案内線を合わせることで、足位置指示用シートの貼り位置を補助するため、容易に貼り位置を決めることができ、足位置指示用シートを正確に設置することができる。
【発明の効果】
【００１６】
本発明の足位置指示用シートによれば、一方のシート本体の案内線を延長して、他方のシート本体の案内線に重なるように配置することにより、左右のシート本体を、便器を中心に左右対称に配置することができるので、様々な形状の便器であっても、正確に便器を中心にして左右対称に配置することが可能である。
【図面の簡単な説明】
【００１７】
【図１】本発明の実施の形態１に係る足位置指示用シートを便器に接近させて配置した状態を示す斜視図である。
【図２】図１に示す足位置指示用シートをまっすぐ便器に向けて配置した状態を示す図であり、（Ａ）は平面図、（Ｂ）は踵部側を見た図である。
【図３】図２に示す足位置指示用シートのつま先側を開いた状態の図であり、（Ａ）は１段階（２２．５°）傾斜させた状態の図、（Ｂ）は２段階（４５°）傾斜させた状態の図である。
【図４】本発明の実施の形態２に係る尿飛散防止セットを示す斜視図である。
【図５】図４に示す尿飛散防止セットの立ち位置案内ステッカーの図であり、（Ａ）は日本語により表記した位置案内ステッカーの図、（Ｂ）は中国語により表記した位置案内ステッカーの図である。
【図６】本発明の実施の形態３に係る尿飛散防止セットを示す平面図である。
【発明を実施するための形態】
【００１８】
（実施の形態１）
本発明の実施の形態１に係る足位置指示用シートを図面に基づいて説明する。
図１に示す足位置指示用シート１０は、男性の使用者を、小便器である便器２０に対して適切な位置に立たせるためのものである。足位置指示用シート１０は、便器２０のたれ受け部２１を中心に左右両側に接近させた状態で配置される。
図２（Ａ）に示すように、足位置指示用シート１０は、右足用および左足用に形成された一対のシート本体１１Ｌ，１１Ｒと、シート本体１１Ｌ，１１Ｒのおもて面に付与された表示部１２と、シート本体１１Ｌ，１１Ｒの裏面に付与された貼り付け部１３（図２（Ｂ）参照）とを備えている。
【００１９】
シート本体１１Ｌ，１１Ｒは、足位置指示用シート１０の芯材である。シート本体１１Ｌ，１１Ｒは、硬質の樹脂シートとしたり、クッション性を有する樹脂シートとしたりすることができる。
表示部１２は、シート本体１１Ｌ，１１Ｒとは別体となるシートにより形成してシート本体１１Ｌ，１１Ｒに貼り付けたり、シート本体１１Ｌ，１１Ｒに直接印刷したりして、シート本体１１Ｌ，１１Ｒに付与されている。
【００２０】
表示部１２は、踵１２ａに位置する後足部１２１と、踵１２ａに対してつま先１２ｂ側であり、踏み付け部に位置する前足部１２２とが、位置が識別できるよう色付けされ、後足部１２１と前足部１２２との間に位置する中足部１２３が白色またはシート本体１１Ｌ，１１Ｒ自体の色となっている。
【００２１】
前足部１２２は、中足部１２３側からつま先１２ｂ側に向かって段階的に区分けされている。本実施の形態１では３段階に、第１前足部１２２ａと、第２前足部１２２ｂと、第３前足部１２２ｃとを色分により区分けされている。
前足部１２２の色分は、異なる色によるものでもよいし、異なる階調によるものでもよい。
【００２２】
第１前足部１２２ａと第２前足部１２２ｂとの境界１２２ｍ、および第２前足部１２２ｂと第３前足部１２２ｃとの境界１２２ｎは、靴のつま先の外形を模した第１前足部１２２ａの先端形状に合わせた形状としている。
【００２３】
表示部１２には、位置案内部１２４が付与されている。
位置案内部１２４は、左右一対のシート本体１１Ｌ，１１Ｒを、便器２０（図１参照）を中心に左右に配置したときに、例えば、左側のシート本体１１Ｌ（一方のシート本体）の案内線１２４Ｌを延長すると、右側のシート本体１１Ｒ（他方のシート本体）の案内線１２４Ｒに重なるように形成されている（図２（Ａ）においては延長した線を一点鎖線にて示す）。
【００２４】
案内線１２４Ｌ，１２４Ｒは、１本だけではなく、便器に対して様々な傾斜角度で設置されることに対応できるように、複数本が点線により形成されている。
位置案内部１２４は、つま先１２ｂから踵１２ａに向かう平行な中心軸Ｌ０に沿った第１方向Ｆ１と、対を成すシート本体１１Ｌ，１１Ｒに向かって第１方向Ｆ１と直交する第２方向Ｆ２とによる直角を複数に分割した角度上に位置する案内線Ｌ１〜Ｌ４が、左右のシート本体１１Ｌ，１１Ｒにおける左右対称の位置（基準位置Ｐ）から、対を成すシート本体１１Ｒ，１１Ｌへ向かって延びるように形成されている。
【００２５】
本実施の形態１では、前足部１２２と中足部１２３との境界における外踏まず側の位置を基準位置Ｐとしている。また、複数の分割は等分割であり、等分割は４分割としているため、案内線は、第２方向Ｆ２に平行な案内線Ｌ１、この案内線Ｌ１に対して踵１２ａ側に２２．５°傾斜させた案内線Ｌ２、更に、踵１２ａ側に２２．５°、４５°傾斜させた案内線Ｌ３，Ｌ４が形成されている。
【００２６】
図２（Ｂ）に示す貼り付け部１３は、シート本体１１Ｌ，１１Ｒの裏面に付与された粘着材により形成されている。足位置指示用シート１０の設置前の状態では、貼り付け部１３には剥離シート（図示せず）が貼られている。
【００２７】
以上のように構成された本発明の実施の形態１に係る足位置指示用シート１０の設置方法および使用状態を説明する。
図１に示すように、足位置指示用シート１０を便器２０に接近させた状態で床面に配置するときには、たれ受け部２１の左右方向の中心２１ａと、左右のシート本体１１Ｌ，１１Ｒの間の中心とを合わせて配置する。たれ受け部２１の中心２１ａからそれぞれのシート本体１１Ｌ，１１Ｒを等距離に配置すればよいので、たれ受け部２１の中心２１ａと、左右のシート本体１１Ｌ，１１Ｒの間の中心とを合わせて配置することは容易である。
そして、図２に示すように、足位置指示用シート１０の中心軸Ｌ０を便器の左右方向に対して直角に向ける場合には、案内線Ｌ１を基準に足位置指示用シート１０の傾斜角度を調整する。
【００２８】
このとき、左側のシート本体１１Ｌの案内線Ｌ１を仮想的に延長すると、右側のシート本体１１Ｒの案内線Ｌ１に重なるように、左右のシート本体１１Ｌ，１１Ｒを配置する。
そうすることで、案内線Ｌ１が中心軸Ｌ０と直交する第２方向Ｆ２に沿った線であるため、左右のシート本体１１Ｌ，１１Ｒを、図１に示すように、まっすぐ便器２０に向かって配置することができ、たれ受け部２１の中心２１ａに対して左右対称に、足位置指示用シート１０を設置することができる。
【００２９】
次に、図３（Ａ）および同図（Ｂ）に示すように、左右のシート本体１１Ｌ，１１Ｒを踵１２ａからつま先１２ｂへ向かって外側に開いた状態で配置するときには、便器に対する傾斜角度に応じて、図３（Ａ）のように、案内線Ｌ２を基準としたり、同図（Ｂ）のように案内線Ｌ３を基準としたりすることができる。いずれの場合でも、左側のシート本体１１Ｌの案内線Ｌ２，Ｌ３を延長すると、右側のシート本体１１Ｒの案内線Ｌ２，Ｌ３に重なるように、左右のシート本体１１Ｌ，１１Ｒを配置する。
【００３０】
図２に示すように、左右のシート本体１１Ｌ，１１Ｒをまっすぐ便器に向けたときに、案内線Ｌ２，Ｌ３は、中心軸Ｌ０と平行な第１方向Ｆ１に対して所定角度で傾斜した線である。そのため、図３（Ａ）および同図（Ｂ）に示すように、左右のシート本体１１Ｌ，１１Ｒを、便器から所定角度に傾斜した状態に配置することができ、左右のシート本体１１Ｌ，１１Ｒが傾斜した状態であっても、図１に示すたれ受け部２１の中心２１ａに対して左右対称に、足位置指示用シート１０を正確に設置することができる。
【００３１】
このように、足位置指示用シート１０は、たれ受け部２１に突き当てて位置決めしないので、例えば、便所の床面とたれ受け部との間に隙間ができる壁掛け型など、様々な形状の便器であっても、簡単に、かつ正確に配置することができる。
【００３２】
図１に示すように、尿意を催した使用者が便器２０にて放尿する場合には、便器２０の前に立つ。使用者は、床面に設置された足位置指示用シート１０を認識することで、足位置指示用シート１０の上に、足位置を合わせて立つよう促される。
このように、床面に設置された足位置指示用シート１０上に使用者が立ち、便器２０に放尿することで、便器２０に接近させた位置から使用者を放尿させることができるため、便器２０から外れて放尿されたり、便器２０からの跳ね返りが便器２０から漏れたり、滴下した尿が床面に落ちたりして床面が汚れることを防止することができる。
【００３３】
使用者が足位置指示用シート１０の上に立つときには、使用者の踵を足位置指示用シート１０の踵１２ａ部分に合わせる。
図２に示す前足部１２２が、第１前足部１２２ａから第３前足部１２２ｃのように、段階的に区分けされているため、使用者は、子供であれば第１前足部１２２ａにつま先の位置を、大人であれば第３前足部１２２ｃにつま先の位置を合わせて、足位置指示用シート１０の上に立つ。
【００３４】
従って、様々な年齢の使用者、または様々な足の大きさの使用者であっても、踵だけでなく、つま先も、足位置指示用シート１０に合わせて立つようになるため、便器２０に接近した適切な位置に使用者を立たせ、正確に便器２０内へ放尿させることができる。
本実施の形態１では、前足部１２２が、第１前足部１２２ａから第３前足部１２２ｃまで３段階に分かれていたが、２段階、または４段階以上に分かれていてもよい。また、前足部１２２は区分けされていなくても、更に、表示部１２が、後足部１２１、前足部１２２および中足部１２３に分かれていなくてもよい。
【００３５】
本実施の形態１では、便器２０として、図１に示すように床置小便器を例に説明したが、壁掛け小便器でもよいし、洋式便器、和式便器でもよい。
【００３６】
（実施の形態２）
本発明の実施の形態２に係る尿飛散防止セットを図面に基づいて説明する。なお、図４においては、図１と同じ構成のものは同符号を付して説明を省略する。
図４に示す尿飛散防止セット１は、足位置指示用シート１０に、注意書きシール３０を追加したものである。注意書きシール３０は、便器２０の天面２３に貼られている。
この注意書きシール３０は、２種類の注意書きシール３０Ａ，３０Ｂが隣り合わせにして貼られている。
【００３７】
図５（Ａ）に示すように、注意書きシール３０Ａは、日本語で、足位置指示用シート１０（図４参照）以外のところに立って放尿するとズボンが汚れることを示す文章３１が表記されている。また、注意書きシール３０Ａには、使用者と向き合う便器２０の対向壁面２４（図４参照）と１２ｃｍの距離で放尿することを促す絵３２が表記されている。
また、図５（Ｂ）に示すように、注意書きシール３０Ｂは、注意書きシール３０Ａ（図５（Ａ）参照）の文章３１が中国語により表記されている。また、注意書きシール３０Ｂにも、絵３２が表記されている。
【００３８】
このように、図４に示す注意書きシール３０が便器２０に貼られていることで、足位置指示用シート１０に足位置を合わせて立つよう促されるため、足元も見ずに便器２０の前に立つ使用者が足位置指示用シート１０に気が付かずに便器２０から離れて放尿することを防止することができる。
【００３９】
尿は、放出された直後は勢いがあるため連続した流れの状態にあるが、放尿位置が便器２０から離れれば離れるほど、連続した状態から粒状に変化する。そのため、便器２０の対向壁面２４に当たると、目に見えない水滴となって跳ね返り、便器２０の周囲や使用者ズボンを汚してしまう。
【００４０】
本実施の形態２では、足位置指示用シート１０と注意書きシール３０とで、使用者と便器２０の対向壁面２４とが１２ｃｍ以内となる距離で放尿することを使用者に促している。この１２ｃｍ以内という距離は、個人差はあるが、尿が粒状となる前に対向壁面２４に当たる距離であり、尿は跳ね返りせず下方へ落下する距離である。
従って、便器２０から外れて放尿されたり、滴下した尿が床面に落ちたりして床面が汚れたりすることを防止するだけでなく、便器２０からの跳ね返りが使用者のズボンに付着することが防止できる。
なお、図５（Ｂ）では中国語としているが外国語は適宜選択できる。また、日本人が多く使用するトイレであれば、図５（Ａ）に示す注意書きシール３０Ａのみでもよい。
【００４１】
（実施の形態３）
本発明の実施の形態３に係る尿飛散防止セットを図面に基づいて説明する。なお、図６においては、図１と同じ構成のものは同符号を付して説明を省略する。
図６に示す尿飛散防止セット２は、実施の形態１に係る足位置指示用シート１０、または実施の形態２に係る尿飛散防止セット１（図４参照）に、位置合わせシート４０を加えたものである。
【００４２】
位置合わせシート４０は、便器２０の前に配置されたコ字状のシートである。本実施の形態３では、位置合わせシート４０は、Ｌ字状に形成された一対のシート４０Ａ，４０Ｂから形成されている。位置合わせシート４０は、足位置指示用シート１０の配置が終わると不要であるため、破棄が容易な紙製とすることができる。
【００４３】
位置合わせシート４０は、便器２０の左右位置に跨る長手方向を、便器２０の左右方向Ｆ３に合わせて床面に貼られている。従って、左右方向Ｆ３に沿った位置合わせシート４０の端辺４１または端辺４２は、左右方向Ｆ３と平行となる。
本実施の形態では、端辺４１に足位置指示用シート１０の案内線Ｌ２が合わせられている。
【００４４】
位置合わせシート４０を便器２０に配置して、足位置指示用シート１０を位置合わせするときには、まず、位置合わせシート４０を便器２０の前端２５の位置に合わせ、長手方向を左右方向Ｆ３に平行に配置する。
次に、端辺４１に足位置指示用シート１０の案内線Ｌ２を合わせて、左右の足位置指示用シート１０の前足部１２２を床面に貼り、足位置指示用シート１０を床面に仮留めする。
【００４５】
次に、位置合わせシート４０を剥がして取り除き、足位置指示用シート１０の後足部１２１を床面に貼ることで、足位置指示用シート１０を、正確に便器２０を中心にして左右対称に配置することができる。
なお、端辺４１に足位置指示用シート１０の案内線Ｌ２を合わせたが、案内線は端辺４２に合わせたり、足位置指示用シートに左右方向を示す線が引いてあれば、この線に案内線を合わせたりするようにしてもよい。
【００４６】
図６に示す便器２０は床置型の小便器であったため、便器２０の前端２５に端辺４１が接するようにして配置することができる。
しかし、壁掛け型や洋式便器などの場合には、床面から便器前端が離れているため、端辺４１を便器の前端に当てることができない。
その場合には、便器前端の下方に端辺４１が位置するように、上方から見て調整すればよいため、位置合わせシート４０は様々な型式の便器に使用できる。
【産業上の利用可能性】
【００４７】
本発明の足位置指示用シートおよび尿飛散防止セットは、様々な便器に接近させて配置することができるので、教育施設や商業施設、介護施設、公衆便所などの各種施設だけでなく、一般家庭にも設置することができる。
【符号の説明】
【００４８】
１，２  尿飛散防止セット
１０  足位置指示用シート
１１Ｌ，１１Ｒ  シート本体
１２  表示部
１２ａ  踵
１２ｂ  つま先
１２１  後足部
１２２  前足部
１２２ａ  第１前足部
１２２ｂ  第２前足部
１２２ｃ  第３前足部
１２２ｍ，１２２ｎ  境界
１２３  中足部
１２４  位置案内部
１２４Ｌ，１２４Ｒ，Ｌ１，Ｌ２，Ｌ３，Ｌ４  案内線
１３  貼り付け部
２０  便器
２１  たれ受け部
２１ａ  中心
２３  天面
２４  対向壁面
２５  前端
３０Ａ，３０Ｂ  注意書きシール
３１  文章
３２  絵
４０  位置合わせシート
４０Ａ，４０Ｂ  シート
４１，４２  端辺
Ｌ０  中心軸
Ｐ  基準位置
Ｆ１  第１方向
Ｆ２  第２方向
Ｆ３  左右方向
【図１】
2019025325.tif 000003
【図２】
2019025325.tif 000004
【図３】
2019025325.tif 000005
【図４】
2019025325.tif 000006
【図５】
2019025325.tif 000007
【図６】
2019025325.tif 000008